(57)【特許請求の範囲】
【請求項１】
電子部品を収容するケースであって、
所定の高さを有し、周縁部よりも内側の領域に部品収容空間が形成され、且つ前記部品収容空間が、高さ方向の両端の二つの主面にそれぞれ開口している樹脂製のフレームと、
前記フレームの一方の主面に当接する第一主面部と、前記第一主面部の各辺から前記フレームの方向に折曲された第一側面部とからなり、前記フレームに対して、前記一方の主面側から、前記第一側面部を前記フレームの外側面に被せて嵌装される金属製の第一ケース部材と、
前記フレームの他方の主面に当接する第二主面部と、前記第二主面部の各辺から前記フレームの方向に折曲された第二側面部とからなり、前記フレーム及び前記第一ケース部材に対して、前記フレームの前記他方の主面側から、前記第二側面部を前記第一ケース部材の第一側面部の外側に被せて嵌装される金属製の第二ケース部材と、
を備え、
前記第一ケース部材の第一側面部の所定個所に、前記第一側面部の高さ方向に沿った二つの辺が前記第一側面部から切り離され、前記第一主面部につながる基部からその反対側の先端に向かって前記第一側面部に対して傾くように弾性変形する接点片が形成され、
前記フレームの外側面に、前記接点片に前記フレーム側から当接し、前記フレームへの前記第一ケース部材の嵌装に伴って、前記接点片を前記第一側面部の外面方向に傾くように弾性変形させて前記第二ケース部材の第二側面部に接触させる接点片押し出し突起が形成されていることを特徴とする電子部品収容ケース。
【請求項２】
前記接点片押し出し突起は、前記接点片に当接する面が、前記フレームの外側面に対して前記一方の主面側から前記他方の主面側に向かって斜めに突出するように傾斜した楔形状に形成されていることを特徴とする請求項１に記載の電子部品収容ケース。
【請求項３】
前記接点片は、前記第一ケース部材の第一主面部を前記フレームの前記一方の主面に当接させたときに、該接点片の先端部が前記接点片押し出し突起を通り越す高さに形成されていることを特徴とする請求項２に記載の電子部品収容ケース。
【請求項４】
前記フレームの外側面は、その高さ方向の所定の位置から前記一方の主面側の部分を、前記他方の主面側の部分に対して所定の幅で前記フレームの内側方向に後退させた形状に形成され、その後退面に前記接点片押し出し突起が、前記後退面の後退幅よりも小さい突出高さに形成されており、
前記第一ケース部材の第一側面部は、前記後退面の高さよりも低い高さに、且つ該第一側面部の内面が前記後退面に近接または接面するように形成され、
前記第二ケース部材の第二側面部は、その端部が前記第一ケース部材の第一側面部の外側に被さる高さに、且つ該第二側面部の内面が前記第一側面部の外面に近接または接面するように形成されていることを特徴とする請求項３に記載の電子部品収容ケース。
【請求項５】
前記フレームの外側面の前記後退面及び該後退面よりも前記他方の主面側の非後退面は、前記フレームの前記二つの主面に対して垂直な面に形成されており、前記第一ケース部材の第一側面部は、前記第一主面部に対して直角方向に折曲され、前記第二ケース部材の第二側面部は、前記第二主面部に対して直角方向に折曲されていることを特徴とする請求項４に記載の電子部品収容ケース。
【請求項６】
前記フレームの外側面の前記後退面は、前記非後退面に対し、前記第一ケース部材の第一側面部の板厚以上の幅で後退させて形成されており、
前記第一ケース部材は、前記フレームに対して、前記第一側面部が、前記非後退面に対する前記後退面の後退幅内に収まるように嵌装され、
前記第二ケース部材は、前記フレーム及び前記第一ケース部材に対して、前記第二側面部の内面が、前記フレームの前記非後退面と前記第一ケース部材の第一側面部の外面とに近接または接面するように嵌装されることを特徴とする請求項５に記載の電子部品収容ケース。
【請求項７】
前記第一ケース部材の第一側面部の所定個所に、前記接点片の幅に相当する間隔をおいて、前記第一側面部の高さ方向の全長にわたる二つの切り込みが設けられ、前記第一側面部の前記二つの切り込みの間の部分により前記接点片が形成されている特徴とする請求項６に記載の電子部品収容ケース。
【請求項８】
前記フレームの部品収容空間に収容される電子部品は表示パネルであり、前記第一ケース部材の第一主面部と前記第二ケース部材の第二主面部の何れか一方に、前記表示パネルの画面エリアに対応する表示窓が設けられていることを特徴とする請求項１から７の何れかに記載の電子部品収容ケース。
【請求項９】
表示パネルをケース内に収容した表示装置において、
前記ケースは、
所定の高さを有し、周縁部よりも内側の領域に部品収容空間が形成され、且つ前記部品収容空間が、高さ方向の両端の二つの主面にそれぞれ開口している樹脂製のフレームと、
前記フレームの一方の主面に当接する第一主面部と、前記第一主面部の各辺から前記フレームの方向に折曲された第一側面部とからなる金属製の第一ケース部材と、
前記フレームの他方の主面に当接する第二主面部と、前記第二主面部の各辺から前記フレームの方向に折曲された第二側面部とからなる金属製の第二ケース部材と、
を備え、
前記第一ケース部材の第一主面部と前記第二ケース部材の第二主面部の何れか一方に、前記表示パネルの画面エリアに対応する表示窓が設けられ、
前記第一ケース部材の第一側面部の所定個所に、前記第一側面部の高さ方向に沿った二つの辺が前記第一側面部から切り離され、前記第一主面部につながる基部からその反対側の先端に向かって前記第一側面部に対して傾くように弾性変形する接点片が形成され、
前記フレームの外側面に、前記接点片に前記フレーム側から当接して該接点片を前記第一側面部の外面方向に傾くように弾性変形させる接点片押し出し突起が形成されており、
前記フレームの部品収容空間に、前記表示パネルが配置され、
前記第一ケース部材が、前記フレームに対して、前記フレームの前記一方の主面側から、前記第一側面部を前記フレームの外側面に被せて嵌装され、
前記第二ケース部材が、前記フレーム及び前記第一ケース部材に対して、前記フレームの前記他方の主面側から、前記第二側面部を前記第一ケース部材の第一側面部の外側に被せて嵌装されると共に、
前記接点片が接点片押し出し突起により弾性変形されて前記第二ケース部材の第二側面部の内面に接触され、該接点片により前記第一ケース部材と前記第二ケース部材とが電気的に導通されていることを特徴とする表示装置。
【請求項１０】
前記表示パネルは液晶表示パネルであり、前記フレームの部品収容空間に、前記液晶表示パネルと、前記液晶表示パネルに向けて光を照射する面光源とが配置されていることを特徴とする請求項９に記載の表示装置。
【発明の詳細な説明】
【技術分野】
【０００１】
この発明は、電子部品収容ケース及び表示装置に関する。
【背景技術】
【０００２】
例えば表示パネル等の電子部品を収容するケースは、静電気による電子部品の誤動作や破壊を防止するために、外部からの静電気を遮蔽する静電気シールド機能を有することが望まれる。
【０００３】
静電気シールド機能を有するケースとしては、特許文献１に記載されているように、部品収容空間が形成された樹脂製のフレームと、前記フレームに対して、一方の面側から嵌装される金属製の第一ケース部材と、前記フレーム及び第一ケース部材に対して、前記フレームの他方の面側から嵌装される金属製の第二ケース部材とを備えたものがある。
【０００４】
このケースでは、一方のケース部材に突起状の接点を形成し、該接点を他方のケース部材に接触させて第一ケース部材と第二ケース部材とを電気的に導通させることにより、ケース全体に静電気シールド機能をもたせている。
【先行技術文献】
【特許文献】
【０００５】
【特許文献１】特開２００７−１９９１０６号公報
【発明の概要】
【発明が解決しようとする課題】
【０００６】
しかし、上記従来のケースは、第一ケース部材と第二ケース部材との相対的な寸法の誤差により、一方のケース部材に形成された接点が他方のケース部材に対して充分な接触圧で接触しないことがある。そのため、従来のケースは、静電気シールド効果にバラツキがある。
【０００７】
しかも、従来のケースは、前記接点を一方のケース部材の弾性によって他方のケース部材に接触させるものであるため、振動の繰り返し等によって接点の接触圧が弱くなり、それに伴って静電気シールド効果が低下する。
【０００８】
この発明は、バラツキの無い安定した静電気シールド効果を得ることができ、しかも静電気シールド効果を長期間維持することができる電子部品収容ケース及び表示装置を提供することを目的としたものである。
【課題を解決するための手段】
【０００９】
請求項１に記載の発明は、電子部品を収容するケースであって、
所定の高さを有し、周縁部よりも内側の領域に部品収容空間が形成され、且つ前記部品収容空間が、高さ方向の両端の二つの主面にそれぞれ開口している樹脂製のフレームと、
前記フレームの一方の主面に当接する第一主面部と、前記第一主面部の各辺から前記フレームの方向に折曲された第一側面部とからなり、前記フレームに対して、前記一方の主面側から、前記第一側面部を前記フレームの外側面に被せて嵌装される金属製の第一ケース部材と、
前記フレームの他方の主面に当接する第二主面部と、前記第二主面部の各辺から前記フレームの方向に折曲された第二側面部とからなり、前記フレーム及び前記第一ケース部材に対して、前記フレームの前記他方の主面側から、前記第二側面部を前記第一ケース部材の第一側面部の外側に被せて嵌装される金属製の第二ケース部材と、
を備え、
前記第一ケース部材の第一側面部の所定個所に、前記第一側面部の高さ方向に沿った二つの辺が前記第一側面部から切り離され、前記第一主面部につながる基部からその反対側の先端に向かって前記第一側面部に対して傾くように弾性変形する接点片が形成され、
前記フレームの外側面に、前記接点片に前記フレーム側から当接し、前記フレームへの前記第一ケース部材の嵌装に伴って、前記接点片を前記第一側面部の外面方向に傾くように弾性変形させて前記第二ケース部材の第二側面部に接触させる接点片押し出し突起が形成されていることを特徴とする。
【００１０】
請求項２に記載の発明は、前記請求項１に記載の電子部品収容ケースにおいて、前記接点片押し出し突起は、前記接点片に当接する面が、前記フレームの外側面に対して前記一方の主面側から前記他方の主面側に向かって斜めに突出するように傾斜した楔形状に形成されていることを特徴とする。
【００１１】
請求項３に記載の発明は、前記請求項２に記載の電子部品収容ケースにおいて、前記接点片は、前記第一ケース部材の第一主面部を前記フレームの前記一方の主面に当接させたときに、該接点片の先端側の部分が前記接点片押し出し突起を通り越す高さに形成されていることを特徴とする。
【００１２】
請求項４に記載の発明は、前記請求項３に記載の電子部品収容ケースにおいて、前記フレームの外側面は、その高さ方向の所定の位置から前記一方の主面側の部分を、前記他方の主面側の部分に対して前記フレームの内側方向に後退させた形状に形成され、その後退面に前記接点片押し出し突起が形成されており、
前記第一ケース部材の第一側面部は、前記後退面の高さよりも低い高さに、且つ該第一側面部の内面が前記後退面に近接または接面するように形成され、
前記第二ケース部材の第二側面部は、その端部が前記第一ケース部材の第一側面部の外側に被さる高さに、且つ該第二側面部の内面が前記第一側面部の外面に近接または接面するように形成されていることを特徴とする。
【００１３】
請求項５に記載の発明は、前記請求項４に記載の電子部品収容ケースにおいて、前記フレームの外側面の前記後退面及び該後退面よりも前記他方の主面側の非後退面は、前記フレームの前記二つの主面に対して垂直な面に形成されており、前記第一ケース部材の第一側面部は、前記第一主面部に対して直角方向に折曲され、前記第二ケース部材の第二側面部は、前記第二主面部に対して直角方向に折曲されていることを特徴とする。
【００１４】
請求項６に記載の発明は、前記請求項５に記載の電子部品収容ケースにおいて、前記フレームの外側面の前記後退面は、前記非後退面に対し、前記第一ケース部材の第一側面部の板厚以上の幅で後退させて形成されており、
前記第一ケース部材は、前記フレームに対して、前記第一側面部が、前記非後退面に対する前記後退面の後退幅内に収まるように嵌装され、
前記第二ケース部材は、前記フレーム及び前記第一ケース部材に対して、前記第二側面部の内面が、前記フレームの前記非後退面と前記第一ケース部材の第一側面部の外面とに近接または接面するように嵌装されることを特徴とする。
【００１５】
請求項７に記載の発明は、前記請求項６に記載の電子部品収容ケースにおいて、前記第一ケース部材の第一側面部の所定個所に、前記接点片の幅に相当する間隔をおいて、前記第一側面部の高さ方向の全長にわたる二つの切り込みが設けられ、前記第一側面部の前記二つの切り込みの間の部分により前記接点片が形成されている特徴とする。
【００１６】
請求項８に記載の発明は、前記請求項１から７の何れかに記載の電子部品収容ケースにおいて、前記フレームの部品収容空間に収容される電子部品は表示パネルであり、前記第一ケース部材の第一主面部と前記第二ケース部材の第二主面部の何れか一方に、前記表示パネルの画面エリアに対応する表示窓が設けられていることを特徴とする。
【００１７】
請求項９に記載の発明は、表示パネルをケース内に収容した表示装置において、
前記ケースは、
所定の高さを有し、周縁部よりも内側の領域に部品収容空間が形成され、且つ前記部品収容空間が、高さ方向の両端の二つの主面にそれぞれ開口している樹脂製のフレームと、
前記フレームの一方の主面に当接する第一主面部と、前記第一主面部の各辺から前記フレームの方向に折曲された第一側面部とからなる金属製の第一ケース部材と、
前記フレームの他方の主面に当接する第二主面部と、前記第二主面部の各辺から前記フレームの方向に折曲された第二側面部とからなる金属製の第二ケース部材と、
を備え、
前記第一ケース部材の第一主面部と前記第二ケース部材の第二主面部の何れか一方に、前記表示パネルの画面エリアに対応する表示窓が設けられ、
前記第一ケース部材の第一側面部の所定個所に、前記第一側面部の高さ方向に沿った二つの辺が前記第一側面部から切り離され、前記第一主面部につながる基部からその反対側の先端に向かって前記第一側面部に対して傾くように弾性変形する接点片が形成され、
前記フレームの外側面に、前記接点片に前記フレーム側から当接して該接点片を前記第一側面部の外面方向に傾くように弾性変形させる接点片押し出し突起が形成されており、
前記フレームの部品収容空間に、前記表示パネルが配置され、
前記第一ケース部材が、前記フレームに対して、前記フレームの前記一方の主面側から、前記第一側面部を前記フレームの外側面に被せて嵌装され、
前記第二ケース部材が、前記フレーム及び前記第一ケース部材に対して、前記フレームの前記他方の主面側から、前記第二側面部を前記第一ケース部材の第一側面部の外側に被せて嵌装されると共に、
前記接点片が接点片押し出し突起により弾性変形されて前記第二ケース部材の第二側面部の内面に接触され、該接点片により前記第一ケース部材と前記第二ケース部材とが電気的に導通されていることを特徴とする。
【００１８】
請求項１０に記載の発明は、前記請求項９に記載の表示装置において、前記表示パネルは液晶表示パネルであり、前記フレームの部品収容空間に、前記液晶表示パネルと、前記液晶表示パネルに向けて光を照射する面光源とが配置されていることを特徴とする。
【発明の効果】
【００１９】
この発明によれば、バラツキの無い安定した静電気シールド効果を得ることができ、しかも静電気シールド効果を長期間維持することができる。
【図面の簡単な説明】
【００２０】
【図１】この発明の一実施例を示す表示装置の斜視図。
【図２】前記表示装置の分解斜視図。
【図３】前記表示装置のケースを構成するフレームの一部分の拡大斜視図。
【図４】前記表示装置のケースを構成する第一ケース部材の一部分の拡大斜視図。
【図５】前記表示装置の図１のV−V矢視線に沿った断面図。
【図６】前記表示装置の図１のVI−VI矢視線に沿った断面図。
【図７】前記表示装置の図１のVII−VII矢視線に沿った断面図。
【図８】前記表示装置の製造途中の状態における一部分の断面図。
【図９】この発明の他の実施例を示す前記第一ケース部材の一部分の斜視図。
【図１０】前記他の実施例の表示装置の一部分の断面図。
【発明を実施するための形態】
【００２１】
［実施例］
図１〜図８はこの発明の一実施例の表示装置を示している。この表示装置は、光の透過を制御して画像を表示する液晶表示パネル１と、この液晶表示パネル１の背後に配置され、前記液晶表示パネル１に向けて照明光を照射する面光源１０とを、静電気シールド機能をもったケース３０内に収容したものである。
【００２２】
液晶表示パネル１は、矩形状の平面形状を有しており、図２及び図５〜図７のように、所定の間隙を形成して対向配置され、画面エリア１ａを囲む枠状のシール材４を介して接合された透明な第一基板２及び第二基板３と、これらの基板２，３間の間隙の前記シール材４で囲まれた領域に封入された液晶層５と、各基板２，３の外面にそれぞれ貼付けて配置された第一と第二の偏光板６，７とからなっている。
【００２３】
この液晶表示パネル１は、例えばＴＦＴ（薄膜トランジスタ）をアクティブ素子としたアクティブマトリックス液晶表示パネルであり、図では省略しているが、第一基板２の第二基板３と対向する内面に、ＴＦＴに接続された複数の透明な画素電極が行方向及び列方向に配列させて設けられると共に、各行のＴＦＴに該ＴＦＴをオン・オフさせる走査信号を供給する複数の走査信号線と、各列のＴＦＴにデータ信号を供給する複数のデータ信号線が設けられている。
【００２４】
また、第二基板３の第一基板２と対向する内面には、各画素電極にそれぞれ対応させて赤、緑、青の三色のカラーフィルタが形成されており、その上に、各画素電極と対向する一枚膜状の透明な共通電極が形成されている。
【００２５】
さらに、第一基板２の内面には、各画素電極を覆って第一配向膜が形成され、第二基板３の内面には、共通電極を覆って第二配向膜が形成されており、液晶層５の液晶分子は、各配向膜により規定される所定の配向状態に配向している。
【００２６】
なお、この液晶表示パネル１は、ＴＮ型、ＳＴＮ型、垂直配向型、非ツイストのホモジニアス配向型、ベンド配向型等のいずれの液晶表示パネルでもよく、また、強誘電性または反強誘電性液晶表示パネルでもよい。さらに、液晶表示パネル１は、第一基板２に形成した電極と第二基板３に形成した電極との間への電圧の印加により液晶分子の配向状態を変化させるものに限らず、一方の基板、例えば第一基板２の内面に、第一電極と、複数の細長電極部を有する第二電極とを互いに絶縁して形成し、これらの電極間に横電界（基板面に沿う方向の電界）を生じさせて液晶分子の配向状態を変化させる横電界制御型液晶表示パネルでもよい。
【００２７】
また、第一基板２は、その一つの縁部に、第二基板３の外方に張り出すドライバ搭載部２ａを有しており、このドライバ搭載部２ａに、各走査信号線に走査信号を印加し、各データ信号線にデータ信号を印加するドライバ素子８が搭載されている。さらに、このドライバ搭載部２ａの端縁部には、図示しない制御回路から出力される画像信号や制御信号等をドライバ素子８に供給する配線フィルム９の一端が接続されている。
【００２８】
一方、面光源１０は、透明板の一つの辺の端面に光を入射させる入射面１２が形成され、二つの板面の一方に入射面１２から入射した光の出射面１３が形成され、他方の板面に入射面１２から入射した光を出射面１３に向けて反射する反射面１４が形成された導光板１１と、この導光板１１の入射面１２に対向させて配置された複数の発光素子１７とにより構成されている。なお、導光板１１は、液晶表示パネル１の画面エリア１ａの全域に対向する面積を有する矩形形状の透明板からなっており、入射面１２は、透明板の長手方向に対して直交する二つの端面の一方に形成されている。
【００２９】
前記導光板１１は、入射面１２から入射した光を出射面１３の全域から出射するものであり、入射面１２から入射した光は、出射面１３及び反射面１４で内面反射しながら導光板１１内を長手方向に導かれる。そして、出射面１３に対して、該出射面１３の法線方向に対する傾きが全反射角よりも小さい入射角で入射した光が出射面１３から出射する。
【００３０】
なお、導光板１１に入射面１２から入射した光は、反射面１４からも出射する。そのため、導光板１１の反射面１４側には、反射面１４から出射した漏れ光を反射して導光板１１内に戻すための反射板１５が配置されている。この反射板１５は、その周縁部を両面粘着テープ１６によって導光板１１の反射面１４に貼り付けられている。
【００３１】
また、発光素子１７は、例えば、ＬＥＤ（発光ダイオード）からなる固体発光素子であり、赤色ＬＥＤと緑色ＬＥＤと青色ＬＥＤとを備え、これらのＬＥＤが発する赤、緑、青の三色の光の加法混色光である白色光を出射する。
【００３２】
この発光素子１７は、発光素子１７の接続配線が形成された配線基板１８上に配置されている。そして、配線基板１８は、発光素子１７の出射面を導光板１１の入射面１２に対向させると共に、配線基板１８の側縁部を導光板１１の出射面１３の入射面１２側の端部に重ねて配置され、両面粘着テープ１９によって導光板１１に貼付けられている。また、配線基板１８の導光板１１への貼付け側とは反対側の側縁部には、この配線基板１８を図示しない光源点灯回路に接続するリード配線フィルム２０の一端が接続されている。
【００３３】
さらに、導光板１１の出射面１３上には、導光板１１の出射面１３から出射した光を拡散させる拡散フィルム２１が配置され、その上に、二枚のプリズムシート２２，２３が積層して配置されている。
【００３４】
この拡散フィルム２１とプリズムシート２２，２３は、液晶表示パネル１の画面エリア１ａよりも大きく、導光板１１の外形よりも小さい形状に形成されており、導光板１１の出射面１３の周縁部を除く領域の上に順に重ねて貼り付けられている。
【００３５】
なお、図ではプリズムシート２２，２３を簡略化しているが、拡散フィルム２１側の第一プリズムシート２２には、例えば導光板１１の幅方向（導光板１１の長手方向に対して直交する方向）に沿った複数の細長プリズムが密なピッチで形成され、この第一プリズムシート２２の上の第二プリズムシート２３には、例えば導光板１１の長手方向に沿った複数の細長プリズムが密なピッチで形成されている。
【００３６】
すなわち、前記面光源１０は、複数の発光素子１７から出射し、導光板１１により導かれてその出射面１３の全域から出射した光を、拡散フィルム２１により拡散し、さらに２枚のプリズムシート２２，２３により導光板１１の出射面１３の法線方向に対する角度が小さくなる方向に屈折させて、正面方向（出射面１３の法線付近の方向）への出射光の強度が高い強度分布の光を出射する。
【００３７】
なお、前記液晶表示パネル１は、例えば第二基板３の外面に配置された第二偏光板７の外面を表示面としたものであり、面光源１０は、液晶表示パネル１の背後（表示面とは反対側）に、第二プリズムシート２３の外面を液晶表示パネル１に対向させて配置される。
【００３８】
次に、液晶表示パネル１と面光源１０を収容するケース３０について説明する。このケース３０は、図１〜図７のように、樹脂製のフレーム３１と、金属製の第一ケース部材３８と、金属製の第二ケース部材４３とを備えている。
【００３９】
フレーム３１は、液晶表示パネル１とその背後に配置される面光源１０とを収容できる所定の高さを有し、周縁部よりも内側の領域に部品収容空間が形成された樹脂成形品からなっている。前記部品収容空間は、フレーム３１の高さ方向の両端の二つの主面３２，３３にそれぞれ開口している。以下、前記二つの主面３２，３３のうち、液晶表示パネル１が収容される側の主面３２を上主面と言い、面光源１０が収容される側の主面３３を下主面と言う。
【００４０】
このフレーム３１は、部品収容空間のうちの上主面３２側の部分に液晶表示パネル１を収容し、下主面３３側の部分に面光源１０を収容するものであり、該フレームの各辺の内側面に、前記部品収容空間を表示パネル収容部と面光源収容部とに区画する鍔状の仕切り部３４がフレーム３１の全周にわたって一体に突設されている。
【００４１】
なお、フレーム３１の上主面３２と下主面３３は互いに平行な面に形成されており、仕切り部３４の上面（表示パネル収容部側の面）と下面（面光源収容部側の面）は、上主面３２及び下主面３３と平行な面に形成されている。
【００４２】
このフレーム３１の仕切り部３４よりも上主面３２側の表示パネル収容部は、その平面形状が液晶表示パネル１の平面形状よりも僅かに大きく、仕切り部３４の上面から上主面３２までの高さが液晶表示パネル１の厚さと同じか、或いは液晶表示パネル１よりも僅かに大きい形状に形成されている。
【００４３】
また、仕切り部３４よりも下主面３３側の面光源収容部は、その平面形状が面光源１０の配線基板１８を含む平面形状よりも僅かに大きく、下主面３３から仕切り部３４の下面までの高さが面光源１０の厚さ（反射板１５の外面から第二プリズムシート２３の外面までの厚さ）よりも僅かに大きい形状に形成されている。
【００４４】
さらに、仕切り部３４は、矩形枠形状のフレーム３１の各辺のうち、二つの短辺の一方に沿った部分を、他の各辺（他方の短辺と二つの長辺）に沿った部分よりも幅広に形成した形成されている。
【００４５】
この仕切り部３４のうちのフレーム３１の一方の短辺に沿った部分（以下、幅広部と言う）は、フレーム３１の表示パネル収容部の内側面からの突出幅が、液晶表示パネル１のドライバ搭載部２ａの幅よりも大きく、且つ前記ドライバ搭載部２ａの端縁と画面エリア１ａとの間の部分の幅よりも小さい形状に形成されている。
【００４６】
また、仕切り部３４の他の部分、つまりフレーム３１の他の各辺に沿った幅狭部は、フレーム３１の表示パネル収容部の内側面からの突出幅が、液晶表示パネル１のドライバ搭載部２ａ以外の各辺と画面エリア１ａとの間の部分の幅よりも小さい形状に形成されている。すなわち、仕切り部３４は、液晶表示パネル１の画面エリア１ａよりも外側の部分に対応する形状に形成されている。
【００４７】
そして、液晶表示パネル１は、フレーム３１の表示パネル収容部に、液晶表示パネル１の表示面（第二偏光板７の外面）をフレーム３１の上主面３２側に向けると共に、液晶表示パネル１の各辺のうちのドライバ搭載部２ａが形成された辺を仕切り部３４の幅広部の上面に重ね、他の各辺を仕切り部３４の幅狭部の上面に重ねて配置され、仕切り部３４の上面の形状に対応した矩形枠形状の両面粘着シート５０により仕切り部３４の上面に貼り付けてフレーム３１に支持される。
【００４８】
また、面光源１０は、フレーム３１の面光源収容部に、第二プリズムシート２３が配置された面を表示パネル収容部に向けると共に、配線基板１８の発光素子１７が設けられた面とは反対面を仕切り部３４の幅広部の下面に重ね、導光板１１の出射面１３の各辺（拡散フィルム２１及びプリズムシート２２，２３よりも外側の部分）のうち、配線基板１８が貼り付けられた辺を除く三辺を仕切り部３４の幅狭部の下面に重ねて配置され、仕切り部３４の下面の形状に対応した矩形枠形状の両面粘着シート５１により仕切り部３４の下面に貼り付けてフレーム３１に支持される。
【００４９】
なお、仕切り部３４の幅広部の下面は、幅狭部の下面に対して、前記配線基板１８の厚さ分だけ上方に凹入させて形成されており、従って、面光源１０は、液晶表示パネル１への光の照射面（第二プリズムシート２３の外面）が液晶表示パネル１と平行になるようにフレーム３１に支持される。
【００５０】
また、フレーム３１の各辺の外側面は、その高さ方向の所定の位置、例えば仕切り部３４の下面と同程度の位置から二つの主面３２，３３のうちの一方の主面側の部分を、他方の主面側の部分に対して所定の幅でフレーム３１の内側方向に後退させた形状に形成されている。この実施例では、フレーム３１の各辺の外側面の下主面３３側の部分を、上主面３２側の部分に対して後退させている。この後退面３１ａと、該後退面３１ａよりも上主面３２側の非後退面３１ｂは、フレーム３１の上主面３２及び下主面３３に対して垂直な面に形成されている。
【００５１】
さらに、フレーム３１の仕切り部３４の幅広部に沿った辺には、液晶表示パネル１のドライバ搭載部２ａに接続された配線フィルム９の引き出し部３５と、面光源１０の配線基板１８に接続されたリード配線フィルム２０の引き出し部３６が設けられている。なお、配線フィルム９の引き出し部３５は、フレーム３１の上主面３２を、配線フィルム９の幅及び厚さよりもある程度大きい幅及び深さに切欠して形成されている。また、リード配線フィルム２０の引き出し部３６は、フレーム３１の下主面３３側の部分を、前記後退面３１ａの高さ方向の全長に亘って、リード配線フィルム２０の幅よりもある程度大きい幅に切欠して形成されている。
【００５２】
一方、第一ケース部材３８と第二ケース部材４３はいずれも、アルミニウム等の良好な導電性をもった金属板のプレス加工品であり、第一ケース部材３８は、フレーム３１の一方の主面（この実施例では下主面）３３に当接する第一主面部３９と、該第一主面部３９の各辺からフレーム３１の方向に折曲された第一側面部４０とからなっている。この第一ケース部材３８は、フレーム３１に対して、下主面３３側から、第一側面部４０をフレーム３１の外側面に被せて嵌装される。
【００５３】
また、第二ケース部材４３は、フレーム３１の他方の主面（この実施例では上主面）３２に当接する第二主面部４４と、該第二主面部４４の各辺からフレーム３１の方向に折曲された第二側面部４５とからなっている。この第二ケース部材４３は、フレーム３１及び第一ケース部材３８に対して、フレーム３１上主面３２側から、第二側面部４５を第一ケース部材３８の第一側面部４０の外側に被せて嵌装される。
【００５４】
なお、第一ケース部材３８の第一主面部３９は、フレーム３１の下主面３３の外形と同じか、或いはそれよりも僅かに大きい矩形形状に形成されている。また、第二ケース部材４３の第二主面部４４は、フレーム３１の上主面３２の外形と同じか、或いはそれよりも僅かに大きい矩形形状に形成されている。そして、第二ケース部材４３の第二主面部４４には、液晶表示パネル１の画面エリア１ａに対応する表示窓４６が設けられている。この表示窓４６は、第二主面部４４に穿設された矩形形状の開口からなっている。
【００５５】
また、第一ケース部材３８の第一側面部４０は、第一主面部３９に対して直角方向に折曲され、第二ケース部材４３の第二側面部４５は、第二主面部４４に対して直角方向に折曲されている。
【００５６】
さらに、フレーム３１の外側面の後退面３１ａは、非後退面３１ｂに対して、第一ケース部材３８の第一側面部４０の板厚以上の幅で後退させて形成されている。なお、非後退面３１ｂに対する後退面３１ａの後退幅は、できるだけ第一ケース部材３８の第一側面部４０の板厚に近いことが望ましい。
【００５７】
そして、第一ケース部材３８の第一側面部４０は、フレーム３１の外側面のうちの後退面３１ａの高さよりも低い高さに、且つ該第一側面部４０の内面が前記後退面３１ａに近接または接面するように形成されている。
【００５８】
従って、第一ケース部材３８は、フレーム３１に対して、第一側面部４０が、前記非後退面３１ｂに対する後退面３１ａの後退幅内に収まるように、つまり非後退面３１ｂを下主面３３の方向に延長した仮想面と後退面３１ａとの間のスペース内に収まるように嵌装される。
【００５９】
また、第二ケース部材４３の第二側面部４５は、その端部がフレーム３１に嵌装された第一ケース部材３８の第一側面部４０の外側に被さる高さに、且つ該第二側面部４５の内面が第一ケース部材３８の第一側面部４０の外面に近接または接面するように形成されている。
【００６０】
従って、第二ケース部材４３は、フレーム３１及び第一ケース部材３８に対して、第二側面部４５が、フレーム３１の非後退面３１ｂと第一ケース部材３８の第一側面部４０の外面とに近接または接面するように嵌装される。
【００６１】
また、第二ケース部材４３の第二側面部４５には、フレーム３１の仕切り部３４の幅広部に沿った辺に設けられた配線フィルム９及びリード配線フィルム２０の引き出し部３５，３６に対応するスリット状の開口４７が形成されている。
【００６２】
すなわち、液晶表示パネル１のドライバ搭載部２ａに接続された配線フィルム９は、フレーム３１に形成された配線フィルム引き出し部３５と、第二ケース部材４３に形成されたスリット状開口４７とを通してケース３０外に引き出される。また、面光源１０の配線基板１８に接続されたリード配線フィルム２０は、フレーム３１に形成されたリード配線フィルム引き出し部３６と、第二ケース部材４３に形成された前記スリット状開口４７とを通してケース３０外に引き出される。
【００６３】
なお、フレーム３１のリード配線フィルム引き出し部３６は、フレーム３１の外側面のうちの後退面３１ａの高さ方向の全体に亘って形成され、第一ケース部材３８の第一側面部４０は前記後退面３１ａの高さよりも低い高さに形成されている。そのため、フレーム３１のリード配線フィルム引き出し部３６から引き出したリード配線フィルム２０を、第一ケース部材３８の第一側面部４０の端縁とフレーム３１の非後退面３１ｂの下端の水平面との間の空間を通して、第二ケース部材４３のスリット状開口４７からケース３０外に引き出すことができる。従って、第一ケース部材３８の第一側面部４０にリード配線フィルム２０の引き出し部を設ける必要は無い。
【００６４】
さらに、第一ケース部材３８の第一側面部４０の所定個所には、該第一側面部４０の高さ方向に沿った二つの辺が第一側面部４０から切り離され、第一主面部３９につながる基部からその反対側の先端に向かって第一側面部４０に対して傾くように弾性変形する接点片４２が形成されている。
【００６５】
この実施例において、接点片４２は、第一ケース部材３８の各辺の第一側面部４０のうち、フレーム３１の配線フィルム９及びリード配線フィルム２０の引き出し部３５，３６が形成された外側面に被さる第一側面部４０に、前記引き出し部３５，３６の位置を避けて形成されている。
【００６６】
また、この実施例では、第一ケース部材３８の第一側面部４０の所定個所に、接点片４２の幅に相当する間隔をおいて、第一側面部４０の高さ方向の全長にわたる二つの切り込み４１，４１を設け、第一側面部４０の二つの切り込み４１，４１の間の部分により前記接点片４２を形成している。
【００６７】
この接点片４２は、該接点片４２が形成された第一側面部４０と面一に、つまり第一ケース部材３８の第一主面３９に対して直角方向に立ち上がるように形成されており、外部からの押し力により、第一主面部３９につながる基部を支点部として、先端に向かって第一側面部４０の外面方向に傾くように弾性変形する。
【００６８】
また、フレーム３１の外側面の後退面３１ａ、つまり第一ケース部材３８の第一側面部４０が被さる部分には、第一ケース部材３８の接点片４２の位置に対応させて、前記接点片４２にフレーム３１側から当接し、フレーム３１への第一ケース部材３８の嵌装に伴って、接点片４２をその先端に向かって第一側面部４０外面方向に傾くように弾性変形させ、該接点片４２の先端側の部分（以下、先端部という）部を強制的に第二ケース部材４３の第二側面部４５に接触させる接点片押し出し突起３７が形成されている。
【００６９】
この接点片押し出し突起３７は、接点片４２に当接する面（フレーム３１の外側面の外方に向いた面）が、フレーム３１の外側面に対して下主面３３側から上主面３２側に向かって斜めに突出するように傾斜した楔形状に形成されている。
【００７０】
さらに、接点片押し出し突起３７は、フレーム３１の後退面３１ａの下端側（下主面３３側）の領域、例えば後退面３１ａの下半分の領域に、接点片４２に当接する傾斜面の下端を後退面３１ａの下端に一致させて、非後退面３１ｂからの後退面３１ａの後退幅よりも小さい突出高さに形成されている。
【００７１】
一方、第一ケース部材３８の第一側面部４０は、フレーム３１の後退面３１ａの高さの半分よりも大きい高さを有している。そして、第一側面部４０のうちの二つの切り込み４１，４１の間の部分からなる接点片４２は、第一ケース部材３８の第一主面部３９をフレーム３１の下主面３３に当接させたときに、該接点片４２の先端部が接点片押し出し突起３７を通り越す高さに形成されている。なお、この実施例では、接点片４２の高さを第一ケース部材３８の第一側面部４０の高さと同じにしている（図５参照）。
【００７２】
この実施例の表示装置は、フレーム３１の部品収容空間に液晶表示パネル１と面光源１０を収容した後、フレーム３１の下主面３３側から第一ケース部材３８を嵌装し、フレーム３１の上主面３２側から第二ケース部材４３を嵌装してケース３０を組立てることにより製造される。
【００７３】
この表示装置の製造において、ケース３０の組立ては、例えば、まずフレーム３１に第二ケース部材４３を嵌装し、その後に、第一ケース部材３８を嵌装する手順で行なう。このケース３０の組立てにおいて、第一ケース部材３８は、その第一側面部４０の端縁を図８のようにフレーム３１の外側面の後退面３１ａと第二ケース部材４３の第二側面部４５との間に入り込ませ、その状態で第一ケース部材３８をフレーム３１側に押し付けることにより嵌装する。
【００７４】
このように、フレーム３１に第二ケース部材４３を嵌装した後に第一ケース部材３８を嵌装すると、第一ケース部材３８の第一側面部４０に形成された接点片４２が、フレーム３１の後退面３１ａに形成された接点片押し出し突起３７によって押され、接点片４２の先端に向かって第一側面部４０の外面方向に傾くように弾性変形する。
【００７５】
すなわち、第一ケース部材３８の第一側面部４０の端縁をフレーム３１の外側面の後退面３１ａと第二ケース部材４３の第二側面部４５との間に入り込ませ、その状態で第一ケース部材３８をフレーム３１側に押し付けて行くと、それに伴って、接点片４２が接点片押し出し突起３７に乗り上げて行く。
【００７６】
このとき、接点片押し出し突起３７は、接点片４２に当接する面が、フレーム３１の外側面に対して、下主面３３側から上主面３２側に向かって外方に突出するように傾斜した楔形状に形成されているため、第一ケース部材３８のフレーム３１側への押し付けに伴って、接点片４２が、接点片押し出し突起３７の傾斜面上を上方に滑り移動しながら、スムースに接点片押し出し突起３７に乗り上げて行く。
【００７７】
そして、さらに第一ケース部材３８をフレーム３１側に押し付けると、接点片４２が、接点片押し出し突起３７により外面方向に押されて、接点片４２の先端に向かって外面方向に傾くように弾性変形し、該接点片４２の先端部が第二ケース部材４３の第二側面部４５に接触する。
【００７８】
この接点片４２の外面方向への弾性変形は、接点片４２が接点片押し出し突起３７にり上げて行くのに伴って大きくなり、それに伴って接点片４２の先端部が第二ケース部材４３の第二側面部４５に強い接触圧で接触する。
【００７９】
この実施例では、接点片４２が、第一ケース部材３８の第一主面部３９をフレーム３１の下主面３３に当接させたときに、該接点片４２の先端部が接点片押し出し突起３７を通り越す高さに形成しているため、第一ケース部材３８を第一主面部３９がフレーム３１の下主面３３に当接するまで嵌装すると、接点片４２の先端部が接点片押し出し突起３７よりも大きく外方に張り出す。そのため、接点片４２の先端部が第二ケース部材４３の第二側面部４５にさらに強い接触圧で接触する。
【００８０】
なお、接点片４２の接点片押し出し突起３７を通り越した先端部は、接点片４２が弾性を有しているため、第二側面部４５への押し付け反力により、第二側面部４５の内面に沿って撓むように弾性変形し、第二側面部４５に対してある程度の接触面積で接触する。
【００８１】
このように、第一ケース部材３８の第一側面部４０に形成された接点片４２が第二ケース部材４３の第二側面部４５に接触すると、金属製の第一ケース部材３８と第二ケース部材４３とが接点片４２を介して電気的に導通される。
【００８２】
また、接点片４２に加わる接点片押し出し突起３７からの押し力は、接点片４２を弾性変形させるだけでなく、第一ケース部材３８を、フレーム３１に対して、接点片４２が形成された第一側面部４０がフレーム３１の外側面から離れて行く方向（図５において左方向）に移動させるように作用する。そのため、第一ケース部材３８をフレーム３１に嵌装すると、第一ケース部材３８の接点片４２が形成された側とは反対側の第一側面部４０が、図５のようにフレーム３１の外側面の後退面３１ａに押し付けられる。
【００８３】
さらに、第二ケース部材４３の第二側面部４５に対する接点片４２の接触力は、第二ケース部材４３を、フレーム３１及び第一ケース部材３８に対して、接点片４２が接触した第二側面部４５がフレーム３１の外側面及び第一ケース部材３８の第一側面部４０から離れて行く方向（図５において左方向）に移動させるように作用する。そのため、第二ケース部材４３の接点片４２が接触した側とは反対側の第二側面部４５が、フレーム３１の外側面の非後退面３１ｂに押し付けられる。
【００８４】
従って、嵌装された第一ケース部材３８は、接点片４２と接点片押し出し突起３７との当接面の摩擦力と、前記反対側の第一側面部４０とフレーム３１との押し付け面の摩擦力とによってフレーム３１に固定される。また、第二ケース部材４３は、接点片４２と第二側面部４５との接触面の摩擦力と、前記反対側の第二側面部４５とフレーム３１との押し付け面の摩擦力とによってフレーム３１及び第一ケース部材３８に固定される。
【００８５】
そのため、第一ケース部材３８及び第二ケース部材４３をビス止め等の手段によりフレーム３１に固定しなくても、両方のケース部材３８，４３の嵌装状態を、振動や比較的軽い衝撃が加わった程度では脱落しないように保持することができる。
【００８６】
なお、前記ケース３０は、まずフレーム３１に第一ケース部材３８を嵌装し、その後に、第二ケース部材４３を嵌装する手順で行なってもよい。その場合は、第一ケース部材３８を嵌装した後に、外面方向に弾性変形した接点片４２の先端部（接点片押し出し突起３７を通り越した部分）をフレーム３１側に押し戻すように弾性変形させながら、第二ケース部材４３をその第二側面部４５が接点片４２の外側に被さるように嵌装すればよい。
【００８７】
前記ケース３０は、金属製の第一ケース部材３８と第二ケース部材４３とが接点片４２を介して電気的に導通されるため、第一ケース部材３８と第二ケース部材４３が同電位になる。従って、外部からの静電気を第一及び第二ケース部材３８，４３により遮蔽する静電気シールド機能をもっている。
【００８８】
そのため、フレーム３１の部品収容空間に収容された液晶表示パネル１及び該液晶表示パネル１に搭載されたドライバ素子８や、面光源１０の発光素子１７の静電気による誤動作や破壊を防ぐことができる。
【００８９】
そして、前記ケース３０は、第一ケース部材３８の第一側面部４０に形成された接点片４２を、フレーム３１の外側面に形成された接点片押し出し突起３７により弾性変形させて強制的に第二側面部４５に接触させるようにしているため、第一ケース部材３８と第二ケース部材４３との相対的な寸法に誤差があっても、接点片４２を第二ケース部材４３の第二側面部４５に充分な接触圧で接触させることができる。
【００９０】
従って、このケース３０によれば、バラツキの無い安定した静電気シールド効果を得ることができる。しかも、第一ケース部材３８の第一側面部４０に対する接点片４２の接触圧が振動の繰り返し等によって弱くなることがないため、安定した静電気シールド効果を長期間維持することができる。
【００９１】
また、上記実施例では、第一ケース部材３８の第一側面部４０の所定個所に、接点片４２の幅に相当する間隔をおいて、第一側面部４０の高さ方向の全長にわたる二つの切り込み４１，４１を設け、第一側面部４０の二つの切り込み４１，４１の間の部分により接点片４２を形成しているため、第一ケース部材３８と接点片４２を、一枚の金属板の加工により低コストに製作することができる。
【００９２】
一方、接点片押し出し突起３７は、接点片４２に当接する面がフレーム３１の外側面に対して下主面３３側から上主面３２側に向かって外方に突出するように傾斜した楔形状に形成されている。そのため、接点片４２を、大きな抵抗力を受けることなくスムースに接点片押し出し突起３７に乗り上げさせることができ、従って、フレーム３１への第一ケース部材３８の嵌装を容易に行なうことができる。
【００９３】
さらに、接点片４２は、第一ケース部材３８の第一主面部３９をフレーム３１の下主面３３に当接させたときに該接点片４２の先端部が接点片押し出し突起３７を通り越す高さに形成されている。そのため、接点片４２の接点片押し出し突起３７を通り越した先端部を、接点片押し出し突起３７よりも大きく外方に張り出させて第二ケース部材４３の第二側面部４５にさらに強い接触圧で接触させることができる。
【００９４】
また、上記実施例では、フレーム３１の外側面を、その高さ方向の所定の位置から上主面３２側の部分を、下主面３３側の部分に対してフレーム３１の内側方向に後退させた形状に形成し、その後退面３１ａに接点片押し出し突起３７を、後退面３１ａの後退幅よりも小さい突出高さに形成しているため、フレーム３１の上主面３２側から見た平面形状は、接点片押し出し突起３７が外側に突出しない形状である。
【００９５】
そして、第一ケース部材３８の第一側面部４０は、フレーム３１の外側面の後退面３１ａの高さよりも低い高さに、且つ該第一側面部４０の内面が前記後退面３１ａに近接または接面するように形成され、第二ケース部材４３の第二側面部４５は、その端部が第一ケース部材３８の第一側面部４０の外側に被さる高さに、且つ該第二側面部４５の内面が前記第一側面部４０の外面に近接または接面するように形成されている。
【００９６】
そのため、フレーム３１に第一ケース部材３８と第二ケース部材４３を嵌装して組立てられたケース３０の外形は、フレーム３１の外側面の非後退面３１ｂの外側に第二ケース部材４３の第二側面部４５が被さった大きさであり、従って、ケース３０の大型化を防ぐことができる。
【００９７】
また、上記実施例では、フレーム３１の外側面の後退面３１ａ及び非後退面３１ｂを、フレーム３１の二つの主面３２，３３に対して垂直な面に形成し、第一ケース部材３８の第一側面部４０を、該第一ケース部材３８の第一主面部３９に対して直角方向に折曲して形成し、第二ケース部材４３の第二側面部４５を、該第二ケース部材４３の第二主面部４４に対して直角方向に折曲して形成している。そのため、第一ケース部材３８を、第一側面部４０がフレーム３１の後退面３１ａと平行になるように嵌装し、第二ケース部材４３を、第二側面部４５がフレーム３１の非後退面３１ｂ及び第一ケース部材３８の第一側面部４０と平行になるように嵌装することができる。
【００９８】
さらに上記実施例では、フレーム３１の外側面の後退面３１ａを、非後退面３１ｂに対して、第一ケース部材３８の第一側面部４０の板厚以上の幅で後退させて形成し、第一ケース部材３８を、フレーム３１に対して、第一側面部４０が非後退面３１ｂに対する後退面３１ａの後退幅内に収まるように嵌装すると共に、第二ケース部材４３を、フレーム３１及び第一ケース部材３８に対して、第二側面部４５の内面が、フレーム３１の非後退面３１ｂと第一ケース部材３８の第一側面部４０の外面とに近接または接面するように嵌装している。そのため、ケース３０の外形は、フレーム３１の外形（上主面３２の外形と同じ形状）に対して、第二ケース部材４３の第二側面部４５の板厚程度大きくなるだけであり、従って、ケース３０の大型化をより効果的に防ぐことができる。
【００９９】
また、上記実施例の表示装置は、フレーム３１の部品収容空間に液晶表示パネル１と面光源１０を収容し、フレーム３１に、第一ケース部材３８と、第二主面部４４に液晶表示パネル１の画面エリア１ａに対応する表示窓４６が設けられた第二ケース部材４３とを嵌装したものであるため、液晶表示パネル１と面光源１０の両方を、外部からの静電気に対して保護することができる。
【０１００】
［他の実施例］
なお、上記実施例では、接点片４２を、第一ケース部材３８の第一主面３９に対して直角方向に立ち上がるように形成しているが、この接点片４２は、例えば図９に示したように、第一主面部３９につながる基部から先端に向かって第一側面部４０の外面方向にある程度傾き、さらに先端部が第一主面３９に対して直角方向に屈曲した形状に形成してもよい。
【０１０１】
その場合、第一ケース部材３８の第一主面３９に対する接点片４２の傾斜角は、フレーム３１の下主面３３に対する接点接点片押し出し突起３７の傾斜面の傾斜角よりも小さい角度（垂直に近い角度）であればよい。接点片４２の傾斜角がこのような角度であれば、フレーム３１への第一ケース部材３８の嵌装に伴って、接点片４２が、接点接点片押し出し突起３７の押し力により、先端に向かって第一側面部４０の外面方向に傾くように弾性変形し、第二ケース部材４３の第二側面部４５に充分な接触圧で接触する。
【０１０２】
そして、この実施例によれば、接点片４２の先端部が第一主面３９に対して直角方向に屈曲した形状に形成されているため、該接点片４２の先端部を、図１０のように第二ケース部材４３の第二側面部４５に面接触させ、第一ケース部材３８と第二ケース部材４３とをより広い接触面積で導通させることができる。
【０１０３】
また、上記実施例のケース３０は、第一ケース部材３８の一辺の第一側面部４０に接点片４２を形成したものであるが、第一ケース部材３８の複数の辺の第一側面部４０に接点片４２を形成し、フレーム３１の外側面に、各接点片４２にそれぞれ対応させて接点接点片押し出し突起３７を形成してもよい。
【０１０４】
さらに、上記実施例では、第一ケース部材３８の第一側面部４０の所定個所に二つの切り込み４１，４１を設け、第一側面部４０の二つの切り込み４１，４１の間の部分により接点片４２を形成しているが、接点片は、第一ケース部材３８とは別の金属片を、その一端部を第一ケース部材３８の第一主面部３９の片部に溶接またリベット等により電気的に導通させて固定することにより形成してもよい。
【０１０５】
その場合は、第一ケース部材３８の第一側面部４０の所定個所を、第一側面部４０の高さ方向の全長にわたって所定の幅に切欠し、その切欠された空間部に前記金属片を配置すればよく、このようにすることにより、第一側面部４０の高さ方向に沿った二つの辺が第一側面部４０から切り離された接点片を形成することができる。
【０１０６】
また、上記実施例の表示装置は、ケース３０内に液晶表示パネル１と面光源１０を収容したものであるが、この発明は、ケース３０内にプラズマ表示パネルや有機ＥＬ（エレクトロルミネッセンス）表示パネル等の自発光型表示パネルを収容した表示装置にも適用することができる。
【０１０７】
さらに、この発明のケース３０は、表示装置に限らず、表示パネル以外の電子部品を収容するケースとしても利用することができる。
【符号の説明】
【０１０８】
１…液晶表示パネル、１ａ…画面エリア、１０…面光源、３０…ケース、３１…フレーム、ａ…後退面、３１ｂ…非後退面、３２，３３…主面、３７…接点接点片押し出し突起、３８…第一ケース部材、３９…第一主面部、４０…第一側面部、４１…切り込み、４２…接点片、４３…第二ケース部材、４４…第二主面部、４５…第二側面部、４６…表示窓
【図１】
0005482593.tif 000002
【図２】
0005482593.tif 000003
【図３】
0005482593.tif 000004
【図４】
0005482593.tif 000005
【図５】
0005482593.tif 000006
【図６】
0005482593.tif 000007
【図７】
0005482593.tif 000008
【図８】
0005482593.tif 000009
【図９】
0005482593.tif 000010
【図１０】
0005482593.tif 000011